(57)【要約】【課題】簡単な構造の擁壁用ブロックを構成し、施工が簡単で労力を要せずして短時間で施工でき、さらに施工コストを低減し得る緑化擁壁用ブロック、緑化ブロック擁壁の構築構造、並びに緑化擁壁の構築方法を提供する。また、水抜き孔を設けることなく各ブロックについて水抜き機能を持たせて同時に緑化を実現させる。【解決手段】緑化擁壁用ブロックは、擁壁の壁面側となる鏡面にノックアウト部２２を有する鏡壁１４と、胴側壁１６と、で背面のみを開口１８した一端閉鎖中空筒状のブロック本体２０と、ブロック本体の中空部１２に充填された緑化用客土２４と、緑化用客土を充填した状態で背面開口１８を閉止する通気通水性閉鎖部材２６と、を備える。擁壁の築造後ノックアウト部を打ち抜いて植物の成長する開口を形成させる。【選択図】図３
2007132183.tif 000002
【特許請求の範囲】
【請求項１】
擁壁の壁面側となる鏡面にノックアウト部を有する鏡壁と、胴側壁と、で背面のみを開口した一端閉鎖中空筒状のブロック本体と、
ブロック本体の中空部に充填された緑化用客土と、
緑化用客土を充填した状態で背面開口を閉止する通気通水性閉鎖部材と、を備えたことを特徴とする緑化擁壁用ブロック。
【請求項２】
通気通水性閉鎖部材は、通気通水性シート体からなることを特徴とする請求項１記載の緑化擁壁用ブロック。
【請求項３】
通気通水性シート体は、ブロック本体成型時のコンクリート固化前に背面開口を閉止するようにあてがって接合固定させたことを特徴とする請求項２記載の緑化擁壁用ブロック。
【請求項４】
通気通水性閉鎖部材は、通気通水性栓体からなることを特徴とする請求項１記載の緑化擁壁用ブロック。
【請求項５】
請求項１ないし４のいずれかの緑化擁壁用ブロックを積み上げて構築した緑化ブロック擁壁の構築構造。
【請求項６】
擁壁の鏡面から背面の地山側に向けて貫通孔を形成可能とする胴側壁で筒状に成型されたコンクリートブロック本体を用意し、
該貫通孔には植物生育用の客土が収容され、
該コンクリートブロック本体の鏡面は薄肉のノックアウト部を有し内面を貫通孔に臨ませる鏡壁により遮蔽されており、
該貫通孔の背面側は植物生育用の客土を収容した状態で通気通水性閉鎖部材により閉止されて緑化擁壁用ブロックが構成され、
該緑化擁壁用ブロックを積み上げ構築した後に、ノックアウト部を打ち抜いて客土を外気に開放させて植物成長のための開口を形成してなる緑化ブロック擁壁の構築構造。
【請求項７】
ノックアウト部を打ち抜かれて鏡面側開口を形成した請求項５または６記載の緑化擁壁用ブロック。
【請求項８】
請求項１ないし４のいずれかの緑化擁壁用ブロックを積み上げて壁体を構築し、
その後にノックアウト部を打ち抜いて鏡面側開口を形成し、
該開口を介して客土に根付く植物を外部に成長させることを特徴とする緑化擁壁の構築方法。
【発明の詳細な説明】
【技術分野】
【０００１】
本発明は、河川護岸を含む擁壁の緑化用のブロック、その構築構造、並びに緑化擁壁の構築方法に関する。
【背景技術】
【０００２】
近時、二酸化炭素の吸着による地球温暖化防止、大気浄化、生物種保全などの見地から、植物の緑の重要性が大きく取り上げられており、特に、台風やハリケーン等の自然災害も地球温暖化に起因して大型化しているのではないかとの推測もあって、生活環境全般にわたる緑化への配慮が求められている。住宅造成地や農地整備等でできる法面の緑化はもとより、斜面の石垣や河川の護岸等についても緑化のための努力がなされている。これらの傾斜地の段差が崩れないように人工斜面を保護する擁壁の構築方法として、例えば特許文献１の環境共生型擁壁ブロックによる擁壁の構築が提案されている。
【０００３】
【特許文献１】特開２００２−２９４６５８号
【発明の開示】
【発明が解決しようとする課題】
【０００４】
上記従来の特許文献１の擁壁の構築方法では、前後壁と左右側壁と底板とからなる中空ブロックであって、その底板の後部を開口したものを構成し、ブロックが積み上げられたときにこの開口から水が排水されることにより、水などがブロック内に滞留しにくく、前部底板に中詰め石や植生土を保持させるブロックを用いて擁壁を構築する方法が示されている。しかしながら、この特許文献１の方法では、例えば基礎コンクリートの上に各ブロックを下段から上層に積み上げていく際、個別のブロックごとの前部底板に中詰め石や植生土を投入し、植物種子を混ぜ合わせたり土を均したりする作業が必要で作業が煩雑で、施工時間がかかり、また、施工コストも高くつくという問題があった。また、底板は前部のみでブロックの底部の半分程度について取り付けられ、後部は開口された変則的な構造であり、前壁や側壁にも開口が形成されているから型成型にも時間がかかり、ブロックの製造コストも高いものとなる問題があった。さらに、各ブロックは上面の開口と、底壁4に設けた開口部４１により上下に連通しており、したがって、これらのブロックを積み上げたときに擁壁上端部から下端のブロックを貫通する水の通り路ができる結果、河川側の水位変動あるいは雨水等により各ブロックに収容された土が流出し河川を汚すばかりでなく、緑化部分が消失してしまうおそれがあった。
【０００５】
本発明は、上記従来の課題に鑑みてなされたものであり、その第１の目的は、簡単な構造の擁壁用ブロックを構成し、施工が簡単で労力を要せずして短時間で施工でき、さらに施工コストを低減し得る緑化擁壁用ブロック、緑化ブロック擁壁の構築構造、並びに緑化擁壁の構築方法を提供することにある。本発明の第２の目的は、各ブロックについて水抜き機能を持たせて水抜き孔を少なくさせ、施工簡単化、労力軽減、構築精度向上とともに、緑化を実現し得る緑化擁壁用ブロック、緑化ブロック擁壁の構築構造、並びに緑化擁壁の構築方法を提供することにある。また、本発明の他の目的は、緑化土を各ブロックに確実に保持させてその流失を防止し、擁壁面の緑化を達成しうる緑化擁壁用ブロック、緑化ブロック擁壁の構築構造、並びに緑化擁壁の構築方法を提供することにある。
【課題を解決するための手段】
【０００６】
上記の目的を達成するために、本発明は、擁壁の壁面側となる鏡面にノックアウト部２２を有する鏡壁１４と、胴側壁１６と、で背面のみを開口１８した一端閉鎖中空筒状のブロック本体２０と、ブロック本体２０の中空部１２に充填された緑化用客土２４と、緑化用客土を充填した状態で背面開口１８を閉止する通気通水性閉鎖部材２６と、を備えたことを特徴とする緑化擁壁用ブロック１０から構成される。この緑化擁壁用ブロックは、コンクリート製のブロックからなるが、具体的な形状は任意に設定してよい。
【０００７】
また、通気通水性閉鎖部材２６は、通気通水性シート体４０からなっていてもよい。その際、通気通水性シート体４０は、ブロック本体２０成型時のコンクリート固化前に背面開口１８を閉止するようにあてがって接合固定させるとよく、コンクリートブロックの成型工程に組み入れて製造でき、また、コンクリートの固化を利用して接合閉止させるから接合のための別途の工程が不要であり、製造上、有利である。さらに、通気通水性閉鎖部材２６は、通気通水性栓体４２からなっていてもよい。
【０００８】
また、本発明は、請求項１または２の緑化擁壁用ブロックを積み上げて構築した緑化ブロック擁壁の構築構造から構成される。
【０００９】
また、本発明は、擁壁の鏡面から背面の地山側に向けて貫通孔（１２）を形成可能とする胴側壁１６で筒状に成型されたコンクリートブロック本体２０を用意し、該貫通孔には植物生育用の客土２４が収容され、該コンクリートブロック本体の鏡面は薄肉のノックアウト部２２を有し内面を貫通孔に臨ませる鏡壁１４により遮蔽されており、該貫通孔の背面側は植物生育用の客土２４を収容した状態で通気通水性閉鎖部材２６により閉止されて緑化擁壁用ブロック１０が構成され、該緑化擁壁用ブロックを積み上げ構築した後に、ノックアウト部２２を打ち抜いて客土２４を外気に開放させて植物成長のための開口を形成してなる緑化ブロック擁壁の構築構造から構成される。
【００１０】
また、本発明は、ノックアウト部２２を打ち抜かれて鏡面側開口３８を形成した緑化擁壁用ブロックから構成される。
【００１１】
また、本発明は、上記の緑化擁壁用ブロック１０を積み上げて壁体を構築し、その後にノックアウト部２２を打ち抜いて鏡面側開口３８を形成し、該開口を介して客土２４に根付く植物を外部に成長させることを特徴とする緑化擁壁の構築方法から構成される。
【発明の効果】
【００１２】
本発明の緑化擁壁用ブロックによれば、擁壁の壁面側となる鏡面にノックアウト部を有する鏡壁と、胴側壁と、で背面のみを開口した一端閉鎖中空筒状のブロック本体と、ブロック本体の中空部に充填された緑化用客土と、緑化用客土を充填した状態で背面開口を閉止する通気通水性閉鎖部材と、を備えた構成であるから、工場での製造後、緑化用客土をブロック内に収容した状態のままで保管、管理でき、ある程度の量産化が可能である上に、擁壁施工時には、そのまま積み上げ構築し、斜面作業で鏡面をハンマ等で打ち抜くだけでよいので、例えば開口したブロックに擁壁築造後に植物生育用の土を重機バケット等から受けて充填する煩雑な作業が不要となり、短時間で効率よく擁壁を構築することができる。また、労力も軽易であり施工コストの低減を実現しうる。
【００１３】
また、通気通水性閉鎖部材は、通気通水性シート体からなる構成であるから、例えば吸出し防止シート等を用いることで、各ブロックについて水抜き機能を持つとともに簡単な構造の擁壁用ブロックを具体化できる。
【００１４】
また、通気通水性シート体は、ブロック本体成型時のコンクリート固化前に背面開口を閉止するようにあてがって接合固定させた構成とすることにより、植物生育用客土を収容した状態のままで封止する作業をコンクリートブロック成型工程時に連続して行え、ブロックの製造時間短縮を図れる。
【００１５】
また、通気通水性閉鎖部材は、通気通水性栓体からなる構成であるから、該栓体を背面開口に嵌入させるという簡単な操作で該開口を閉止でき、実用性が高まる。
【００１６】
また、本発明は、上記の緑化擁壁用ブロックを積み上げて構築した緑化ブロック擁壁の構築構造である構成とすることにより、工場での製造後、緑化用客土をブロック内に収容した状態のままで保管、管理でき、ある程度の量産化が可能である上に、擁壁施工時には、そのまま積み上げ構築し、斜面作業で鏡面をハンマ等で打ち抜くだけでよいので、例えば開口したブロックに擁壁築造後に植物生育用の土を重機バケット等から受けて充填する煩雑な作業が不要となり、短時間で効率よく擁壁を構築することができる。また、労力も軽易であり施工コストの低減を実現しうる。さらに、植物育成用の客土を収容する各ブロックの空洞部が擁壁の地山側からの水抜き用パイプ機能を行うので、擁壁面全体に水抜き機能が施されたこととなり、ブロックの隅部等に設けていた水抜きパイプの設置を少ないものとすることができるから、擁壁の構築作業の簡単化、労力軽減を達成し、さらに、構築精度ならびに強度が大幅に向上する。
【００１７】
また、本発明は、擁壁の鏡面から背面の地山側に向けて貫通孔を形成可能とする胴側壁で筒状に成型されたコンクリートブロックを用意し、該貫通孔には植物生育用の客土が収容され、該コンクリートブロックの鏡面は薄肉のノックアウト部を有し内面を貫通孔に臨ませる鏡壁により遮蔽されており、該貫通孔の背面側は植物生育用の客土を収容した状態で通気通水性閉鎖部材により閉止されており、該コンクリートブロックを積み上げ構築した後に、ノックアウト部を打ち抜いて客土を外気に開放させて植物成長のための開口を形成してなる緑化ブロック擁壁の構築構造であるから、工場での製造後、緑化用客土をブロック内に収容した状態のままで保管、管理でき、ある程度の量産化が可能である上に、擁壁施工時には、そのまま積み上げ構築し、斜面作業で鏡面をハンマ等で打ち抜くだけでよいので、例えば開口したブロックに擁壁築造後に植物生育用の土を重機バケット等から受けて充填する煩雑な作業が不要となり、短時間で効率よく擁壁を構築することができる。また、労力も軽易であり施工コストの低減を実現しうる。さらに、植物育成用の客土を収容する各ブロックの空洞部が擁壁の地山側からの水抜き用パイプ機能を行うので、擁壁面全体に水抜き機能が施されたこととなり、ブロックの隅部等に設けていた水抜きパイプの設置個数を減少させることができ、擁壁の構築精度ならびに強度が大幅に向上する。また、横方向、すなわち鏡面から背面側にのみ孔を穿孔させてこの孔に緑化土を充填しているから、水が各ブロックの内部等を流れ落ちる際に緑化土を流失させることがなく、緑化機能を十分、かつ長期にわたって維持するとともに、河川等の汚染を生じさせることがない。
【００１８】
また、本発明は、上記の緑化擁壁用ブロックを積み上げて壁体を構築し、その後にノックアウト部を打ち抜いて鏡面側開口を形成し、該開口を介して客土に根付く植物を外部に成長させることを特徴とする緑化擁壁の構築方法であるから、擁壁施工時には、そのまま積み上げ構築し、斜面作業で鏡面をハンマ等で打ち抜くだけでよいので、例えば開口したブロックに擁壁築造後に植物生育用の土を重機バケット等から受けて充填する煩雑な作業が不要となり、短時間で効率よく擁壁を構築することができる。また、労力も軽易であり施工コストの低減を実現しうる。
【発明を実施するための最良の形態】
【００１９】
以下、本発明を実施するための最良の形態について説明する。本発明は、住宅造成地や農地整備等でできる法面、斜面の石垣、河川の護岸等を含む擁壁築造用のブロック、それによる緑化擁壁の構築構造並びに緑化擁壁の構築方法に関し、発明を実施するための最良の形態として、それらのうちの各ブロックの説明から始め、順次、それを用いた擁壁の構築構造、緑化擁壁の構築方法を説明する。
【００２０】
図１ないし図９は、本発明の第１の実施形態に係る緑化擁壁用ブロック１０を示しており、図において、緑化擁壁用ブロック１０は、概略角錐台形状の外郭を有し、内部を中空とした空洞部１２を有する、いわゆる間知ブロック状のコンクリートブロックから構成されている。緑化擁壁用ブロック１０は、角錐台の底面と、底面に接続されて小面積の上面側に向かう胴部に形成された胴側面と、を有し、それらのうちの底面が擁壁を構築する際の鏡面とされてその鏡面を有する鏡壁１４が構成され、鏡壁１４に接続される胴部が胴側壁１６とされる。すなわち、緑化擁壁用ブロック１０は、鏡壁１４と、胴側壁１６と、で施工時の背面側となる面のみを開口１８した一端閉鎖の中空筒状体を含む。そして、該中空筒状体がブロック本体２０を構成している。
【００２１】
ブロック本体２０の鏡壁１４は横長四角形状をしており、その表面側は図４に示すように、例えば自然石に似せた凹凸形状を形成している。鏡壁１４には後述する空洞部１２に内壁面を臨ませた薄肉部としてのノックアウト部２２が形成されている。そして、ブロックを積み上げて擁壁として施工後に打ち抜かれて内部に収容した客土を外気に露出させ、植物生育のための基盤とさせる。
【００２２】
胴側壁１６は、図１，２，３に示すように、ブロック本体２０の角錐台形状に対応して鏡壁１４の四辺から背面側に向けてしだいに狭幅となる輪郭を有し、背面側の一部に向けて収束するように全体としてテーパ状に形成される構成であり、その内部は図３に示すように空洞部１２が形成されている。空洞部１２は、緑化用客土２４を収容する空隙であり、該空洞部１２は、鏡壁１４のノックアウト部２２の内壁に一端側を接し、他端側を開口した鏡面側から背面側（すなわち横方向）に連続する円柱状の空洞で構成されている。本実施形態では該空洞部１２は、背面側に向けてしだいに径を小さくしたテーパ面を有する柱状空洞から形成されている。なお、胴側部１６の対向側面側には重機等による吊支用の凹部２３が形成されており、ワイヤ等を掛けまわして吊支させる。空洞部１２は、擁壁構築用として該緑化擁壁用ブロックが用いられる際には、ノックアウト部の打ち抜きにより、擁壁の鏡面から背面の地山側に向けて貫通孔を形成可能となっており、原理的にはブロック本体２０は、胴側壁１６で筒状に成型されたコンクリートブロック本体である。このように、ブロック本体２０は、横方向、すなわち鏡面から背面側にのみ孔を穿孔させてこの孔に緑化土を充填するから、水が各ブロックの内部等を流れ落ちる際に緑化土を流失させることがなく、緑化機能を十分、かつ長期にわたって維持するとともに、河川等の汚染を生じさせることがない。また、上述した空洞部の形状は、本実施形態における円柱状の空洞に限るものではなく、四角柱等の多角柱形状で形成されていてもよい。
【００２３】
空洞部１２に収容される緑化用客土は種々の植物の育成用土であればよく、任意のものを適用できる。客土を収容する際に植物の種子を混ぜ込むとよい。また、肥料、扶養土、植物育成剤等を混入させてもよい。
【００２４】
さらに、空洞部１２内に緑化用客土２４を充填した状態で背面開口１８は、通気通水性閉鎖部材２６により、閉止されている。通気通水性閉鎖部材２６は、客土２４を空洞部１２内に充填した状態で開口１８を閉止しつつ空洞部１２とブロック外部との通気性、通水性を確保する手段であり、本実施形態において、該通気通水性閉鎖部材２６は、空洞部１２内と外気とを通気性、通水性を確保しつつ遮蔽する通気通水性シート体４０で形成され、ブロック本体２０の背面側に外部から接合されて空洞部１２を閉鎖させる。したがって、空洞部１２内に緑化用客土２４を充填させた状態で閉じ込めるように閉鎖させる。該通気通水性シート体４０は、例えばいわゆる河川、護岸用等の吸出し防止シートや先屈防止用の土木用シートが用いられ、例えばポリエステル綿を高密度に絡み合わせてシート体とした１０ｍｍ程度の厚みのシートであって、所要の引っ張り強度、化学的安全性、耐候性を有する通気、通水性を有するシートから構成される。この通気通水性シート体は、具体的には不織布その他の素材のものを用いることができるし、例えばウレタン等の他の合成樹脂シートとの多層構造で形成されていてもよい。また、図８、図９に示すように、通気通水性シート体４０を巻回させたものを背面開口に嵌入させて閉止させてもよい。これによって、工場内での保管、施工現場までのブロックの運搬、ブロックの積み上げ構築の完了まではこの状態のままで作業を行い、ブロックの積み上げ構築完了後にノックアウト部２２を叩打して鏡壁１４に開口を形成し、この開口部分から植物を外部に向けて成長させ、繁茂させて擁壁法面を緑化させることができる。
【００２５】
上記の緑化擁壁用ブロックは、ブロック型枠内の中央部に円錐筒状の内部型枠としての例えば紙管２８あるいはプラスチック型枠を配置させ、該紙管内に緑化用客土２４を充填させた状態でコンクリートを型枠内に流し込み、該コンクリートの固化前に通気通水性シート４０を開口１８を閉鎖するようにあてがって閉止し、その状態を保持して接合固化させるとよい。また、通気通水性シート体４０を短柱状に巻回させたものを背面開口に嵌入させる場合には、例えば鏡壁１４側を塞ぎ、背面開口１８側を開口させた紙管に土を詰めてゴム栓で塞いだ状態で型枠にセットし、コンクリート打設した後に、ゴム栓を通気通水性閉鎖部材２６にとりかえることもできる。
【００２６】
次に、本実施形態の緑化擁壁用ブロックを用いた緑化ブロック擁壁の構築構造を説明するとともに、その緑化擁壁の構築方法について説明する。製造工場で、予め客土入りの緑化擁壁用ブロック１０を製造しておき、施工現場に搬送する。そして、図１０，１１に示すように、通常のブロック積み擁壁構築方法によりブロックを積み上げ築造させる。すなわち、捨て基礎材３０上に基礎コンクリート３２を打設し、その上の計画河床高さまでは通常の中実間知ブロックを積み上げ施工する。そして、計画河床から上層側に順次、緑化擁壁用ブロック１０を積み上げていく。その際、図示しない裏型枠を配置して胴込めコンクリート３４、栗石等の裏込め材３６を充填固化させ、擁壁の計画法勾配を保持するようにする。そして、例えば擁壁全体の構築が完了したら、作業者が各ブロック１０の鏡壁の薄肉ノックアウト部２２をハンマ等で叩打して鏡壁１４を打ち抜き、鏡壁開口３８を開けて空洞部１２内の客土を大気に面するようにさせる。これによって、経時的にＰ植物が成長して葉の緑部分が鏡面全体に広がり、擁壁面全体を緑化させる。このとき、緑化擁壁用ブロック１０の背面の通気通水性シート４０を介して地山側と空洞部１２とは通水可能であり、したがって、該空洞部１２は地山側からの水抜き穴として機能する。ただし、この空洞部内には客土を介して植物が生息し、根が張って経時により空洞部内に一体的に固定化されてしまうので、少しずつ鏡面側に染み出す態様で排出される。したがって、従来のように擁壁面の水抜き用のパイプを配置する必要がなく、施工が極めて簡単となり、特に、図１１のように谷積み、矢羽根積み、あるいは練り積み等のブロックによる擁壁構築においては、築造の精度も高くなり擁壁全体の強度も高いものとできる。
【００２７】
次に、本発明の緑化擁壁用ブロックの第２の実施形態について図１２、図１３に基づいて説明するが、第１実施形態と同一部材には同一の符号を付し、その詳細な説明は省略する。本実施形態における緑化擁壁用ブロック５０の第１実施形態との相違点は、通気通水性閉鎖部材２６が通気通水性栓体４２から形成される点である。本実施形態において、通気通水性栓体４２は、図１２に示すように、背面開口１８に嵌入できる程度の径で所要の長さを有する円錐台で形成される。そして、図１３に示すように、背面開口１８から嵌入されて該開口１８を閉止させる。本実施形態において、該栓体４２は、例えばポリエステル綿を高密度に絡み合わせて円錐台状とした栓体であって、所要の圧縮強度、化学的安全性、耐候性を有する通気、通水性を有する栓体から構成される。また、該栓体の形状は円錐台に限るものではなく、開口１８の形状に応じた任意の形状とすることができる。
【００２８】
以上説明した本発明の緑化擁壁用ブロック、緑化ブロック擁壁の構築構造、並びに緑化擁壁の構築方法は、上記した実施形態のみに限定されるものではなく、特許請求の範囲に記載した本発明の本質を逸脱しない範囲において、任意の改変を行ってもよい。
【産業上の利用可能性】
【００２９】
本発明の緑化擁壁用ブロック、緑化ブロック擁壁の構築構造、並びに緑化擁壁の構築方法は、住宅造成地や農地整備等でできる法面、斜面の石垣、河川の護岸、がけ等に構築される擁壁築造、その他の人工擁壁について広く適用可能である。
【図面の簡単な説明】
【００３０】
【図１】本発明の第１の実施形態に係る緑化擁壁用ブロックの平面図である。
【図２】図１の緑化擁壁用ブロックの右側面図である。
【図３】図１の緑化擁壁用ブロックのＡ−Ａ線断面図である。
【図４】図１の緑化擁壁用ブロックの正面図である。
【図５】図１の緑化擁壁用ブロックのＢ−Ｂ線断面図である。
【図６】図１の緑化擁壁用ブロックのＣ−Ｃ線断面図である。
【図７】図１の緑化擁壁用ブロックの背面図である。
【図８】本発明の第１の実施形態に係る通気通水性閉鎖部材の他の実施例の説明図である。
【図９】本発明の第１の実施形態に係る緑化擁壁用ブロックの他の実施例の説明図断面図である。
【図１０】図１の緑化擁壁用ブロックを用いて構築した擁壁の一例の縦断面図である。
【図１１】図１０の擁壁の施工後のノックアウト部を打ち抜いた状態の正面図である。
【図１２】本発明の第２の実施形態に係る通気通水性閉鎖部材の説明斜視図である。
【図１３】本発明の第２の実施形態に係る緑化擁壁用ブロックの断面説明図である。
【符号の説明】
【００３１】
１０、５０  緑化擁壁用ブロック
１２  空洞部
１４  鏡壁
１６  胴側壁
１８  開口
２０  ブロック本体
２２  ノックアウト部
２４  客土
２６  通気通水性閉鎖部材
４０  通気通水性シート体
４２  通気通水性栓体
【図１】
2007132183.tif 000003
【図２】
2007132183.tif 000004
【図３】
2007132183.tif 000005
【図４】
2007132183.tif 000006
【図５】
2007132183.tif 000007
【図６】
2007132183.tif 000008
【図７】
2007132183.tif 000009
【図８】
2007132183.tif 000010
【図９】
2007132183.tif 000011
【図１０】
2007132183.tif 000012
【図１１】
2007132183.tif 000013
【図１２】
2007132183.tif 000014
【図１３】
2007132183.tif 000015